(57)【特許請求の範囲】
【請求項１】
液保持性の吸収層と液不透過性の防漏層とを有する吸収性本体を備え、着用者の腹側に位置する腹側部及び背側に位置する背側部それぞれの両側縁部が接合されて、ウエスト開口部及び一対のレッグ開口部が形成されているパンツ型吸収性物品において、
一対の前記レッグ開口部間の領域であるレッグ間部における、該レッグ間部の幅が最小となる最狭幅部分より背側部側に位置する臀部当接部に、前記吸収性本体の幅方向と平行に複数の弾性部材が配設されており、
前記弾性部材は、前記臀部当接部の上部領域及び下部領域それぞれに複数配されており、該臀部当接部の上部領域の伸長応力が、該臀部当接部の下部領域の伸長応力よりも小さく、
前記レッグ間部における、前記最狭幅部分より腹側部側の領域には、前記吸収性本体の幅方向と平行な弾性部材が配設されていないパンツ型吸収性物品。
【請求項２】
前記上部領域おける前記弾性部材間の間隔が、前記下部領域における前記弾性部材間の間隔より大きい請求項１記載のパンツ型吸収性物品。
【発明の詳細な説明】
【０００１】
【発明の属する技術分野】
本発明は、臀部のフィット性及び被覆性に優れたパンツ型吸収性物品に関する。
【０００２】
【従来の技術及び発明が解決しようとする課題】
近年、ウエスト開口部及び一対のレッグ開口部を有するパンツ型タイプの生理用ナプキンや使い捨ておむつ等の吸収性物品が提案されている。
これらのパンツ型吸収性物品に関して、胴周囲部や腹側部に弾性部材を設け、胴周囲部のフィット性を向上させる技術、あるいは吸収性物品のズレ落ちを防止する技術が種々提案されている（特開平8-112308公報等）。
しかし、従来のパンツ型吸収性物品は、特に股間部よりも後方におけるフィット性が充分ではなく、その改善が望まれていた。
そのフィット性を改善するには、股下部の背側部寄りに弾性部材を配設することが考えられるが、弾性部材の収縮力や着用者の動作によって、吸収性物品の両側縁部間の幅が狭くなり、その結果、臀部の被覆性が低下して、却ってフィット性が悪化してしまう。
【０００３】
従って、本発明の目的は、臀部のフィット性及び被覆性に優れたパンツ型の吸収性物品を提供することにある。
【０００４】
【課題を解決するための手段】
本発明は、液保持性の吸収層と液不透過性の防漏層とを有する吸収性本体を備え、着用者の腹側に位置する腹側部及び背側に位置する背側部それぞれの両側縁部が接合されて、ウエスト開口部及び一対のレッグ開口部が形成されているパンツ型吸収性物品において、一対の前記レッグ開口部間の領域であるレッグ間部における、該レッグ間部の幅が最小となる最狭幅部分より背側部側に位置する臀部当接部に、前記吸収性本体の幅方向と平行に複数の弾性部材が配設されており、前記弾性部材は、前記臀部当接部の上部領域及び下部領域それぞれに複数配されており、該臀部当接部の上部領域の伸長応力が、該臀部当接部の下部領域の伸長応力よりも小さく、前記レッグ間部における、前記最狭幅部分より腹側部側の領域には、前記吸収性本体の幅方向と平行な弾性部材が配設されていないパンツ型吸収性物品を提供することにより、上記の目的を達成したものである。
【０００５】
以下、本発明をその好ましい一実施形態に基づいて説明する。
本実施形態のパンツ型吸収性物品（ショーツ型の生理用ナプキン）１は、液保持性の吸収層２及び液不透過性の防漏層３を有する吸収性本体４と、腹側部Ａ、レッグ間部Ｂ及び背側部Ｃからなり、腹側部Ａ及び背側部Ｃそれぞれの両側縁部Ａ１、Ｃ１及びＡ２、Ｃ２とが接合され、接合部１１、ウエスト開口部５及び一対のレッグ開口部６が形成されているパンツ部分７とからなり、パンツ部分７に吸収性本体４が固着されている。
ウエスト開口部５及び一対のレッグ開口部６それぞれの開口周縁部には、それぞれ弾性部材５１，６１が配されており、各開口周縁部に、それぞれギャザーが形成されている。
【０００６】
吸収層２は、図３に示すように、吸収体２１と、吸収体２１の肌当接面側に配された液透過性のトップシート２２とを有してなる。トップシート２２は、吸収体２１の肌当接面側及び両側縁部を覆うように配されており、その左右両側縁部は吸収体２１の左右両外方に延出されている。トップシート２２の側方延出部分は先端部において折り返されており、その先端部にひも状の弾性部材２３ａが配され、吸収層２の左右両側縁部に立体部２３が形成されている。吸収体２１は、繊維集合体及び高分子吸収ポリマーからなる吸収部と該吸収部の全面を覆うように配された吸収紙とからなる。
防漏層３は、吸収体２１の非肌当接側に配された液不透過性のバックシート３１からなる。
【０００７】
パンツ部分７は、パンツ型吸収性物品１の外表面を形成する外層シート７１と、内表面に位置し吸収性本体４に当接する内層シート７２と、レッグ部弾性部材６１と、着用時に着用者のウエスト周りに位置するウエスト部弾性部材５１とを主体として構成されており、レッグ部弾性部材６１及びウエスト部弾性部材５１は、それぞれ、外層シート７１及び内層シート７２間において両者に挟持されるように配されている。
また、本実施形態においては、特に図示しないが、着用時に着用者の胴回りに位置する胴回り部（ウエスト回りから下方で、レッグ間部Ｂよりも上方の部分）に胴回り弾性部材が配されている。
【０００８】
次に、上記の各部材の形成材料について説明する。
トップシート２２、吸収体２１及びバックシート３１としては、それぞれおむつや生理用ナプキン等に用いられているものを用いることができる。
また、外層シート７１及び内層シート７２としては、それぞれヒートボンド、スパンボンド、スパンレース、メルトブロー等の不織布、透湿性又は非透湿性のフィルム、該不織布と該フィルムとのラミネート材等を用いることができる。
弾性部材２３ａ、ウエスト部弾性部材５１、レッグ部弾性部材６１及び胴回り部に配する弾性部材としては、それぞれ糸ゴム、平ゴム、ウレタンゴム、ポリエチレンゴム等、通常、吸収性物品に使用されている材料を用いることができる。
【０００９】
而して、本実施形態のパンツ型吸収性物品１においては、一対の前記レッグ開口部６，６間の領域であるレッグ間部Ｂにおける、該レッグ間部Ｂの幅が最小となる最狭幅部分より背側部Ｃ側に位置する臀部当接部Ｄに、前記吸収性本体４の幅方向と平行に複数の弾性部材７３が配設されており、臀部当接部Ｄの上部領域Ｄ１の伸長応力が下部領域Ｄ２の伸長応力よりも小さくなっている。
【００１０】
臀部当接部とは、一対のレッグ開口部６，６間の領域であるレッグ間部Ｂにおける、着用者が装着した時の股下部から臀部側に位置される部分を意味する。具体的には、例えば、図２に示す形態のものにおいては、レッグ開口部６，６間に位置するレッグ間部Ｂを、Ｘ−Ｘ線で示すその中央線を境にして腹側部Ａ側と背側部Ｃ側とに略二分した場合における、背側部Ｃ側に位置するレッグ間部Ｂの一部分である。また、臀部当接部Ｄの上部領域Ｄ１及び下部領域Ｄ２とは、臀部当接部Ｄをその略中央部において二分した場合における各領域を意味し、背側部Ｃ寄りの部分が上部領域Ｄ１である。また、図４に示すような腹側部に比べて臀部側の被覆長さを大きくしたビキニタイプの吸収性物品が挙げられ、この場合の臀部当接部Ｄは、レッグ間部ＢにおけるＸ−Ｘ線で示す股間の最狭幅部分よりも背側部Ｃ寄りの部分である。
【００１１】
臀部当接部Ｄには、複数の弾性部材７３が、臀部当接部Ｄの長手方向の全体に亘って、それぞれ吸収性本体４の幅方向に沿うように配されている。ここで、「長手方向の全体に亘って配されている」とは、臀部当接部Ｄの下部領域Ｄ２のみならず上部領域Ｄ１にも弾性部材が配されていることを意味し、臀部当接部Ｄの一部に弾性部材が配されていない部分がある場合を含む。
【００１２】
弾性部材７３は糸状又は帯状のゴムであり、所定の間隔を開けて、それぞれ外層シート７１及び内層シート７２間に両者に挟持されるように配されている。
本実施形態においては、臀部当接部Ｄの上部領域Ｄ１おける弾性部材７３間の間隔が、臀部当接部Ｄの下部領域Ｄ２における弾性部材７３間の間隔より大きくなっており、これにより、上部領域Ｄ１の伸長応力が、下部領域Ｄ２の伸長応力よりも小さくなっている。本実施形態における弾性部材７３は、いずれも太さと材質が同じである。
尚、上部領域Ｄ１における弾性部材７３間の間隔は５〜８０ｍｍが好ましく、下部領域Ｄ２における弾性部材７３間の間隔は２〜６０ｍｍが好ましい。また、上部領域Ｄ１における弾性部材７３間の間隔と下部領域Ｄ２における弾性部材７３間の間隔との比（Ｄ１／Ｄ２）は１．１〜５０、特に１．２〜５．０であることが好ましい。
【００１３】
臀部当接部Ｄの上部領域Ｄ１及び下部領域Ｄ２の伸長応力は、それぞれ次のようにして測定される。
即ち、吸収性物品を接合部１１，１１で破断し、該吸収性物品を図２に示すように平面状に広げた状態に展開する。
そして、上部領域Ｄ１の伸長応力は、Ｄ１を切り出して吸収層部分を取り外したパンツ部分から、製品長手方向はＤ１の長さのまま製品幅方向５０ｍｍ幅に切り出して試験片とする。その試験片をオリエンテック製テンシロン伸長試験機（型番ＲＴＭ−１００）に、チャック間３０ｍｍで挟み、伸長速度３００ｍｍ／ｍｉｎで幅方向に２０％伸長し、伸長時の応力の最大値をＤ１の伸長応力とした。試験片の最大伸長率が２０％未満の時にはその最大伸長時の応力を伸長応力とした。Ｄ１に弾性部材がない時は、Ｄ1 の伸長応力はゼロとした。また、吸収層部分に、製品幅方向に伸長応力を発揮する弾性材等が配設されている場合には、吸収層部分を取り外さずに測定した。同様に、下部領域Ｄ２から得た各試験片の伸長応力をＤ２の伸長応力とした。
【００１４】
尚、臀部当接部Ｄに配する弾性部材７３としては、通常、吸収性物品に使用されている材料を用いることができ、いわゆるゴム素材としては、天然ゴムの他、スチレン−ブタジエン、ブタジエン、イソプレン、ネオプレン等の合成ゴム、ＥＶＡ、伸縮性ポリオレフィン、ウレタン等の伸縮素材を広く用いることができる。また、形態については、糸ゴムの様な線状の他、幅広の帯状（平ゴム含む）、薄膜状、更にはフォーム材等も用いることができる。
【００１５】
本実施形態のパンツ型吸収性物品は、下記の如くして製造することができる。即ち、通常の吸収性物品の製造方法と同様にして吸収性本体４を製造し、また、外層シート７１上に、レッグ部弾性部材６１、ウエスト部弾性部材５１及び弾性部材７３を配した後上記内層シート７２を載置して、展開状態のパンツ部分７を作成する。次いで、展開状態のパンツ部分７上の所定位置に吸収性本体４を接着剤などを介して固着し、更に、パンツ部分７の腹側及び背側の両側縁部Ａ１、Ｃ１及びＡ２、Ｃ２をそれぞれ接合固定することにより、製造することができる。
【００１６】
本実施形態の吸収性物品は、通常のパンツないしショーツと同様に腹側部Ａが着用者の腹側に位置するようにはくことにより使用でき、使用後はサイド付近にある接合部１１を引き裂く等して、本体に取付けられた廃棄用のテープ（図示せず）などを使用して廃棄処理することができる。
【００１７】
本実施形態の吸収性物品は、臀部当接部Ｄに複数の弾性部材７３が配され、臀部当接部Ｄに吸収性本体の幅方向に向けて複数のギャザーが形成されているので、これらのギャザーにより、着用者の臀部におけるフィット性が向上している。また、臀部当接部Ｄの上部領域Ｄ１の伸長応力が、下部領域Ｄ２の伸長応力よりも小さいため、臀部の被覆性に優れており、例えば着用が長時間に及ぶ場合や運動をした場合等においても臀部当接部Ｄの両側から着用者の臀部がはみ出すようなことがない。尚、「臀部の被覆性」とは、着用者の臀部を、吸収性物品の内側に安定に保持し得る性質をいう。
また、本実施形態の吸収性物品においては、臀部当接部Ｄの長手方向の全体に亘って弾性部材７３が配設されているので、より臀部当接部Ｄにおけるフィット性が向上されている。また、弾性部材７３の間隔を変えて、上部領域Ｄ１の伸長応力を下部領域Ｄ２の伸長応力よりも小さくしてあるため、Ｄ２の弾性部材が必要以上に収縮し、臀部当接部Ｄの両側から着用者の臀部がはみ出すことがなく、また、容易且つ安価に製造できる。
【００１８】
尚、本発明の吸収性物品は種々変更が可能である。
図５に、本発明の他の実施形態のショーツ型生理用ナプキンを示した。本発明においては、臀部当接部の上部領域Ｄ１及びＤ２それぞれに、吸収性本体の幅方向に複数の弾性部材が配設されており、臀部当接部の上部領域の伸長応力が下部領域Ｄ２の伸長応力よりも小さければ良く、そのようにするには、臀部当接部Ｄの上部領域Ｄ１と下部領域Ｄ２とで、弾性部材を配する間隔を同一とし、配する弾性部材の太さを異ならせてもよく〔図５（ｂ）〕、また、臀部当接部Ｄの下方から上方に向かうに従って連続的に弾性部材の間隔が粗となるようにしたり〔図５（ｃ）〕、臀部当接部Ｄの下方から上方に向かうに従って連続的に弾性部材の太さが細くなるようにしても良い〔図５（ｄ）〕。また、上部領域Ｄ１の弾性部材の太さを下部領域Ｄ２よりも細くすると共に上部領域Ｄ１の弾性部材の間隔を下部領域Ｄ２よりも粗としても良い〔図５（ａ）（ｅ）〕。更に上部領域Ｄ１と下部領域Ｄ２で、弾性部材の伸張率や種類を異ならせてもよい。
バックシートは、吸収体の下のみに配されているのではなく、パンツ部分全体に配されていてもよい。また、弾性部材７３は、外側から見えなくてもよい。
【００１９】
図５に示す各実施形態のパンツ型吸収性物品における基本的な構成は、図１〜３に示した吸収性物品１と同様であり、上述した吸収性物品１についての説明は、これらの吸収性物品にも適宜適用される。
また、本発明は、ショーツ型の生理用ナプキンの他、パンツ型の使い捨ておむつや失禁者用パッド、産褥用パッド、外科用パッド等にも適用することができる。
【００２０】
【発明の効果】
本発明によれば、臀部のフィット性及び被覆性に優れたパンツ型の吸収性物品を提供することができる。
【図面の簡単な説明】
【図１】図１は、本発明のパンツ型吸収性物品の一実施形態を示す斜視図である。
【図２】図２は、本発明のパンツ型吸収性物品の一実施形態を示す展開図（外層シート側から見た図）である。
【図３】図３は、図２のＡ−Ａ線断面図である。
【図４】図４は、本発明のパンツ型吸収性物品の他の実施形態を示す展開図（図２に相当する図）である。
【図５】図５は、本発明のパンツ型吸収性物品の他の実施形態を示す模式図である。
【符号の説明】
１      パンツ型吸収性物品（ショーツ型生理用ナプキン）
２      吸収層
２１    吸収体
２２    トップシート
２３    立体部
２３ａ  弾性部材
３      防漏層
３１    バックシート
４      吸収体本体
５      ウエスト開口部
５１    ウエスト部弾性部材
６      レッグ開口部
６１    レッグ部弾性部材
７      パンツ部分
７１    外層シート
７２    内層シート
７３    弾性部材
Ａ      腹側部
Ｂ      レッグ間部
Ｃ      背側部
Ｄ      臀部当接部
【図１】
0003938258.tif 000002
【図２】
0003938258.tif 000003
【図３】
0003938258.tif 000004
【図４】
0003938258.tif 000005
【図５】
0003938258.tif 000006